(57)【特許請求の範囲】
【請求項１】
方法であって、
サブフレームセットの同じか又は異なるサブフレーム内の低活動状態にある第１セルからの少なくとも１つの発見信号と低活動状態にある第２セルからの少なくとも１つの発見信号とを受信する段階、
を含み、
前記第１セルからの前記少なくとも１つの発見信号は、前記第２セルからの前記少なくとも１つの発見信号に関連付けられたものに対して前記サブフレームセットの異なるリソース要素に関連付けられ、
各セルが、それに関連付けられたアイデンティティを有し、それぞれのセルからの少なくとも１つの信号の位置が、該セルアイデンティティに依存し、
前記位置は、前記セルアイデンティティに関して実行されるモジュロ演算に依存し、
前記モジュロ演算は、異なるセルによってそれらのそれぞれの少なくとも１つの発見信号に対して使用される前記サブフレームセット内で利用可能な位置の数に依存する、
ことを特徴とする方法。
【請求項２】
方法であって、
少なくとも１つの発見信号を第１セルから送信させる段階、
を含み、
前記第１セルは、低活動状態にあり、前記発見信号の位置が、該セルのアイデンティティに依存し、
各セルが、それに関連付けられたアイデンティティを有し、それぞれのセルからの少なくとも１つの信号の位置が、該セルアイデンティティに依存し、
前記位置は、前記セルアイデンティティに関して実行されるモジュロ演算に依存し、
前記モジュロ演算は、異なるセルによってそれらのそれぞれの少なくとも１つの発見信号に対して使用される前記サブフレームセット内で利用可能な位置の数に依存する、
ことを特徴とする方法。
【請求項３】
発見信号の少なくとも１つが、同じサブフレームの２つの隣接シンボルにわたって提供される発見信号を含むことを特徴とする請求項１又は請求項２に記載の方法。
【請求項４】
各少なくとも１つの発見信号が、同期信号を含むことを特徴とする請求項１から請求項３のいずれか１項に記載の方法。
【請求項５】
前記同期信号は、１次及び／又は２次同期信号を含むことを特徴とする請求項４に記載の方法。
【請求項６】
少なくとも１つの発見信号が、少なくとも１つのシンボルのｐリソース要素を使用して提供される発見信号を含み、ｐがｑ未満である時にｑを有する各シンボルは、リソース要素を有することを特徴とする請求項１から請求項５のいずれか１項に記載の方法。
【請求項７】
少なくとも１つの発見信号が、少なくとも２つの異なるシンボルの複数のリソース要素を使用して提供され、該リソース要素の少なくとも２つが、異なる副搬送波でのものであることを特徴とする請求項６に記載の方法。
【請求項８】
前記セットは、複数の連続サブフレームを含むことを特徴とする請求項１から請求項７のいずれか１項に記載の方法。
【請求項９】
前記フレームセットは、ｘが整数である時にｘ回繰り返されてバーストを与えることを特徴とする請求項８に記載の方法。
【請求項１０】
実行された時に請求項１から請求項９のいずれか１項に記載の方法を実行させるように構成されたプログラムコード、
を含むことを特徴とするコンピュータプログラム。
【請求項１１】
装置であって、
サブフレームセットの同じか又は異なるサブフレーム内の低活動状態にある第１セルからの少なくとも１つの発見信号と低活動状態にある第２セルからの少なくとも１つの発見信号とを受信するための手段、
を含み、
前記第１セルからの前記少なくとも１つの発見信号は、前記第２セルからの前記少なくとも１つの発見信号に関連付けられたものに対して前記サブフレームセットの異なるリソース要素に関連付けられ、
各セルが、それに関連付けられたアイデンティティを有し、それぞれのセルからの少なくとも１つの信号の位置が、該セルアイデンティティに依存し、
前記位置は、前記セルアイデンティティに関して実行されるモジュロ演算に依存し、
前記モジュロ演算は、異なるセルによってそれらのそれぞれの少なくとも１つの発見信号に対して使用される前記サブフレームセット内で利用可能な位置の数に依存する、
ことを特徴とする装置。
【請求項１２】
装置であって、
少なくとも１つの発見信号を第１セルから送信させるための手段、
を含み、
前記第１セルは、低活動状態にあり、前記発見信号の位置が、該セルのアイデンティティに依存し、
各セルが、それに関連付けられたアイデンティティを有し、それぞれのセルからの少なくとも１つの信号の位置が、該セルアイデンティティに依存し、
前記位置は、前記セルアイデンティティに関して実行されるモジュロ演算に依存し、
前記モジュロ演算は、異なるセルによってそれらのそれぞれの少なくとも１つの発見信号に対して使用される前記サブフレームセット内で利用可能な位置の数に依存する、
ことを特徴とする装置。
【請求項１３】
発見信号の少なくとも１つが、同じサブフレームの２つの隣接シンボルにわたって提供される発見信号を含むことを特徴とする請求項１１又は請求項１２に記載の装置。
【請求項１４】
少なくとも１つの発見信号が、少なくとも１つのシンボルのｐリソース要素を使用して送信される発見信号を含み、ｐがｑ末端である時にｑを有する各シンボルは、リソース要素を有することを特徴とする請求項１１から請求項１３のいずれか１項に記載の装置。
【請求項１５】
前記セットは、複数の連続サブフレームを含むことを特徴とする請求項１１から請求項１４のいずれか１項に記載の装置。
【請求項１６】
前記フレームセットは、ｘが整数である時にｘ回繰り返されてバーストを与えることを特徴とする請求項１５に記載の装置。
【発明の詳細な説明】
【技術分野】
【０００１】
本発明の開示は、方法及び装置に関し、限定するものではないが特に、セル又はネットワークノードが低活動モードを有する場合に使用する方法及び装置に関する。
【背景技術】
【０００２】
通信システムは、例えば、固定又は移動デバイス、マシンタイプ端末、及び基地局、サーバのようなアクセスノード等々のような２つ又はそれよりも多くのノード間の通信セッションを可能にする設備として見ることができる。通信システム及びそれに準拠する通信エンティティは、典型的には、システムに関連付けられた様々なエンティティが何を行うことが許されるか、及びそれがどのように達成されるべきであるかを提示する与えられた規格又は仕様に従って作動する。例えば、規格、仕様、及び関連プロトコルは、デバイスがどのように通信すべきであるか、通信の様々な態様をどのように実施すべきであるか、及びシステム内で使用するためのデバイスがどのように構成されるべきであるかに関する方式を定めることができる。
【０００３】
ユーザは、適切な通信デバイスを用いて通信システムにアクセスすることができる。ユーザの通信デバイスは、ユーザ機器（ＵＥ）又は端末と呼ばれることが多い。通信デバイスには、他の相手との通信を可能にするための適切な信号受信及び送信装置が設けられる。典型的には、音声及びコンテンツデータのような通信情報の受信及び送信を可能にするためのユーザ機器のようなデバイスが使用される。
【発明の概要】
【発明が解決しようとする課題】
【０００４】
通信は、無線搬送波上で伝達することができる。無線システムの例は、セルラーネットワークのような公衆陸上移動通信網（ＰＬＭＮ）、衛星ベース通信システム、及び異なる無線ローカルネットワーク、例えば、無線ローカルエリアネットワーク（ＷＬＡＮ）を含む。無線システムでは、通信デバイスは、例えば、アクセスネットワークの基地局及び／又は別のユーザ機器のような別の通信デバイスと通信することができる送受信機局を提供する。基地局とユーザの通信デバイスとの間の２つの通信方向は、従来、ダウンリンク及びアップリンクと呼ばれている。ダウンリンク（ＤＬ）は、基地局から通信デバイスへの方向として理解され、アップリンク（ＵＬ）は、通信デバイスから基地局への方向として理解することができる。
【課題を解決するための手段】
【０００５】
態様により、サブフレームセットの同じか又は異なるサブフレーム内の低活動状態にある第１セルからの少なくとも１つの基準信号と低活動状態にある第２セルからの少なくとも１つの基準信号とを受信する段階を含む方法を提供し、第１基地局からの少なくとも１つの基準信号は、第２セルからの少なくとも１つの基準信号に関連付けられたものに対してサブフレームセットの異なるリソース要素に関連付けられる。
【０００６】
各セルは、それに関連付けられたアイデンティティを有することができ、それぞれのセルからの少なくとも１つの基準信号の位置は、このセルアイデンティティに依存する。
【０００７】
態様により、低活動状態にある第１セルから少なくとも１つの基準信号を受信する段階を含む方法を提供し、この基準信号の位置は、このセルのアイデンティティに依存する。
【０００８】
態様により、低活動状態にある第１セルから少なくとも１つの基準信号を送信させる段階を含む方法を提供し、この基準信号の位置は、このセルのアイデンティティに依存する。
【０００９】
第１セルの少なくとも１つの基準信号は、サブフレームセットのサブフレーム内に提供することができ、かつ第２セルによって使用されるものに対してサブフレームセットの異なるリソース要素上に提供される。
【００１０】
以下の特徴のいずれか又はそれよりも多くは、上述の態様のいずれか１つ又はそれよりも多くと共に使用することができることを認めなければならない。
【００１１】
位置は、セルアイデンティティに関して実行されるモジュロ演算に依存する場合がある。
【００１２】
モジュロ演算は、異なるセルによってそれらのそれぞれの少なくとも１つの基準信号に対して使用されるサブフレームセット内で利用可能な位置の数に依存する場合がある。
【００１３】
少なくとも１つの基準信号は、同じサブフレームの２つの隣接シンボルにわたって提供される基準信号を含むことができる。
【００１４】
各少なくとも１つの基準信号は、同期信号を含むことができる。
【００１５】
同期信号は、１次及び／又は２次同期信号を含むことができる。
【００１６】
少なくとも１つの基準信号は、少なくとも１つのシンボルのｐリソース要素を使用して提供される基準信号を含むことができ、ｑを有する各シンボルは、リソース要素を有し、ｐは、ｑよりも小さい。
【００１７】
少なくとも１つの基準信号は、少なくとも２つの異なるシンボルの複数のリソース要素を使用して提供することができ、これらのリソース要素の少なくとも２つは、異なる副搬送波でのものである。
【００１８】
シンボルは、直交周波数分割多重化シンボルを含むことができる。
【００１９】
各少なくとも１つの基準信号は、共通基準信号を含むことができる。
【００２０】
セットは、複数の連続サブフレームを含むことができる。
【００２１】
フレームセットは、ｘを整数としてｘ回繰り返されてバーストを提供することができる。
【００２２】
別の態様により、低活動状態にある第１セルから送信される基準信号を提供し、サブフレーム内のこの基準信号の位置は、このセルのアイデンティティに依存する。
【００２３】
別の態様により、サブフレームセットの同じか又は異なるサブフレーム内の低活動状態にある第１セルからの少なくとも１つの基準信号と低活動状態にある第２セルからの少なくとも１つの基準信号とを受信するための手段を含む装置を提供し、第１基地局からの少なくとも１つの基準信号は、第２セルからの少なくとも１つの基準信号に関連付けられたものに対してサブフレームセットの異なるリソース要素に関連付けられる。
【００２４】
各セルは、それに関連付けられたアイデンティティを有することができ、それぞれのセルからの少なくとも１つの基準信号の位置は、このセルアイデンティティに依存する。
【００２５】
装置は、ユーザ機器内に提供することができる。
【００２６】
態様により、低活動状態にある第１セルから少なくとも１つの基準信号を受信するための手段を含む装置を提供し、この基準信号の位置は、このセルのアイデンティティに依存する。
【００２７】
装置は、ユーザ機器内に提供することができる。
【００２８】
態様により、低活動状態にある第１セルから少なくとも１つの基準信号を送信させるための手段を含む装置を提供し、この基準信号の位置は、このセルのアイデンティティに依存する。
【００２９】
第１セルの少なくとも１つの基準信号は、サブフレームセットのサブフレーム内に提供することができ、かつ第２セルによって使用されるものに対してサブフレームセットの異なるリソース要素上に提供される。
【００３０】
装置は、セル又は基地局内に提供することができる。
【００３１】
以下の特徴のいずれか又はそれよりも多くは、上述の態様のいずれか１つ又はそれよりも多くと共に使用することができることを認めなければならない。
【００３２】
位置は、セルアイデンティティに関して実行されるモジュロ演算に依存する場合がある。
【００３３】
モジュロ演算は、異なるセルによってそれらのそれぞれの少なくとも１つの基準信号に対して使用されるサブフレームセット内で利用可能な位置の数に依存する場合がある。
【００３４】
少なくとも１つの基準信号は、同じサブフレームの２つの隣接シンボルにわたって提供される基準信号を含むことができる。
【００３５】
各少なくとも１つの基準信号は、同期信号を含むことができる。
【００３６】
同期信号は、１次及び／又は２次同期信号を含むことができる。
【００３７】
少なくとも１つの基準信号は、少なくとも１つのシンボルのｐリソース要素を使用して提供される基準信号を含むことができ、ｑを有する各シンボルは、リソース要素を有し、ｐは、ｑよりも小さい。
【００３８】
少なくとも１つの基準信号は、少なくとも２つの異なるシンボルの複数のリソース要素を使用して提供することができ、これらのリソース要素の少なくとも２つは、異なる副搬送波でのものである。
【００３９】
シンボルは、直交周波数分割多重化シンボルを含むことができる。
【００４０】
各少なくとも１つの基準信号は、共通基準信号を含むことができる。
【００４１】
セットは、複数の連続サブフレームを含むことができる。
【００４２】
フレームセットは、ｘを整数としてｘ回繰り返されてバーストを提供することができる。
【００４３】
別の態様により、少なくとも１つのプロセッサと、１つ又はそれよりも多くのプログラムのためのコンピュータコードを含む少なくとも１つのメモリとを含む装置を提供し、コンピュータコードは、少なくとも１つのプロセッサを用いて、装置をして少なくとも、サブフレームセットの同じか又は異なるサブフレーム内の低活動状態にある第１セルからの少なくとも１つの基準信号と低活動状態にある第２セルからの少なくとも１つの基準信号とを受信させるように構成され、第１基地局からの少なくとも１つの基準信号は、第２セルからの少なくとも１つの基準信号に関連付けられたものに対してサブフレームセットの異なるリソース要素に関連付けられる。
【００４４】
各セルは、それに関連付けられたアイデンティティを有することができ、それぞれのセルからの少なくとも１つの基準信号の位置は、このセルアイデンティティに依存する。
【００４５】
装置は、ユーザ機器内に提供することができる。
【００４６】
別の態様により、少なくとも１つのプロセッサと、１つ又はそれよりも多くのプログラムのためのコンピュータコードを含む少なくとも１つのメモリとを含む装置を提供し、コンピュータコードは、少なくとも１つのプロセッサを用いて、装置をして少なくとも、低活動状態にある第１セルから少なくとも１つの基準信号を受信させるように構成され、この基準信号の位置は、このセルのアイデンティティに依存する。
【００４７】
装置は、ユーザ機器内に提供することができる。
【００４８】
別の態様により、少なくとも１つのプロセッサと、１つ又はそれよりも多くのプログラムのためのコンピュータコードを含む少なくとも１つのメモリとを含む装置を提供し、コンピュータコードは、少なくとも１つのプロセッサを用いて、装置をして少なくとも、低活動状態にある第１セルから少なくとも１つの基準信号を送信させるように構成され、この基準信号の位置は、このセルのアイデンティティに依存する。
【００４９】
第１セルの少なくとも１つの基準信号は、サブフレームセットのサブフレーム内に提供することができ、かつ第２セルによって使用されるものに対してサブフレームセットの異なるリソース要素上に提供される。
【００５０】
装置は、セル又は基地局内に提供することができる。
【００５１】
以下の特徴のいずれか又はそれよりも多くは、上述の態様のいずれか１つ又はそれよりも多くと共に使用することができることを認めなければならない。
【００５２】
位置は、セルアイデンティティに関して実行されるモジュロ演算に依存する場合がある。
【００５３】
モジュロ演算は、異なるセルによってそれらのそれぞれの少なくとも１つの基準信号に対して使用されるサブフレームセット内で利用可能な位置の数に依存する場合がある。
【００５４】
少なくとも１つの基準信号は、同じサブフレームの２つの隣接シンボルにわたって提供される基準信号を含むことができる。
【００５５】
各少なくとも１つの基準信号は、同期信号を含むことができる。
【００５６】
同期信号は、１次及び／又は２次同期信号を含むことができる。
【００５７】
少なくとも１つの基準信号は、少なくとも１つのシンボルのｐリソース要素を使用して提供される基準信号を含むことができ、ｑを有する各シンボルは、リソース要素を有し、ｐは、ｑよりも小さい。
【００５８】
少なくとも１つの基準信号は、少なくとも２つの異なるシンボルの複数のリソース要素を使用して提供することができ、これらのリソース要素の少なくとも２つは、異なる副搬送波でのものである。
【００５９】
シンボルは、直交周波数分割多重化シンボルを含むことができる。
【００６０】
各少なくとも１つの基準信号は、共通基準信号を含むことができる。
【００６１】
セットは、複数の連続サブフレームを含むことができる。
【００６２】
フレームセットは、ｘを整数としてｘ回繰り返されてバーストを提供することができる。
【００６３】
上述の方法のいずれも装置によって実行することができる。装置は、ユーザ機器、セル装置、又は基地局の装置内に提供することができる。
【００６４】
本方法を実行するようになったプログラムコード手段を含むコンピュータプログラムも提供することができる。コンピュータプログラムは格納され、及び／又はそうでなければ搬送波媒体によって具現化することができる。
【００６５】
いずれの態様のいずれの特徴も、あらゆる他の態様のあらゆる他の特徴と組み合わせることができることを認めなければならない。
【００６６】
ここで以下の実施例及び添付図面を参照して単なる例として実施形態をより詳細に以下に説明する。
【図面の簡単な説明】
【００６７】
【図１】基地局及び複数の通信デバイスを含む通信システムの概略図である。
【図２】一部の実施形態による移動通信デバイスの概略図である。
【図３】一部の実施形態による制御装置の概略図である。
【図４】基地局の活動状態及び休止状態を概略的に示す図である。
【図５】ユーザ機器によって受信される場合がある物理リソースブロックを示す図である。
【図６】実施形態の方法を示す図である。
【図７】セルの装置を概略的に示す図である。
【図８】ＵＥの装置を概略的に示す図である。
【発明を実施するための形態】
【００６８】
以下において、移動通信デバイスにサービスを提供する無線又は移動通信システムを参照してある一定の例示的な実施形態を説明する。例示的な実施形態を詳細に説明する前に、説明する実施例の基礎をなす技術を理解することを助けるために無線通信システム及び移動通信デバイスのある一定の一般的原理を図１から３を参照して簡単に説明する。
【００６９】
無線通信システムにおいて、移動通信デバイス又はユーザ機器（ＵＥ）１０２、１０３、１０５には、少なくとも１つの基地局又は類似の無線送信及び／又は受信ノード又はポイントを通じた無線アクセスが提供される。図１の実施例には、セルラーシステム１００及び１１０の２つの重なり合うアクセスシステム又は無線サービスエリア、並びに基地局１０６、１０７、１１６、１１８、及び１２０によって提供されるより狭い３つの無線サービスエリア１１５、１１７、及び１１９が示されている。各移動通信デバイス及び基地局は、同時に開放された１つ又はそれよりも多くの無線チャネルを有することができ、かつ１つより多いソースに信号を送り、及び／又はそこから信号を受信することができる。図１では、無線サービスエリアの境界又は縁部は、単に例示目的で概略的に示されていることに注意されたい。無線サービスエリアの大きさ及び形状も、図１の形状とはかなり異なる場合があることも理解されるものとする。基地局サイトは、１つ又はそれよりも多くのセルを提供することができる。基地局はまた、複数のセクター、例えば、各セクターがセル又はセルのサブエリアを提供する３つの無線セクターを提供することができる。セル内の全てのセクターは、同じ基地局によってサービスを受けることができる。
【００７０】
基地局は、典型的には、基地局の作動及び基地局と通信する移動通信デバイスの管理を可能にするように少なくとも１つの適切なコントローラ装置によって制御される。図１には、それぞれのマクロレベル基地局１０６及び１０７を制御するための制御装置１０８及び１０９が示されている。基地局の制御装置は、別の制御エンティティと相互接続することができる。制御装置には、典型的に、メモリ機能及び少なくとも１つのデータプロセッサが備わっている。制御装置及び機能は、複数の制御ユニットの間で分散させることができる。一部のシステムでは、制御装置は、これに加えて又はこれに代えて無線ネットワークコントローラ内に提供することができる。
【００７１】
図１には、ゲートウェイ１１２を通じてより広い通信ネットワーク１１３に接続された時の基地局１０６及び１０７が示されている。更に別のゲートウェイ機能は、別のネットワークに接続するために提供することができる。
【００７２】
より小型の基地局１１６、１１８、及び１２０も、例えば、別々のゲートウェイ機能により、及び／又はマクロレベル基地局のコントローラを通じてネットワーク１１３に接続することができる。実施例では、基地局１１６及び１１８は、ゲートウェイ１１１を通じて接続され、一方、基地局１２０は、コントローラ装置１０８を通じて接続する。一部の実施形態において、より小型の基地局は、提供されない場合がある。
【００７３】
ここで、通信デバイス２００を部分断面で概略的に示す図２を参照して、可能な移動通信デバイスをより詳細に説明する。このデバイスは、図１の通信デバイス１０２、１０３、及び１０５のうちのいずれかとすることができる。このような通信デバイスは、ユーザ機器（ＵＥ）又は端末と呼ばれることが多い。適切な移動通信デバイスは、無線信号を送信及び受信することができるいずれのデバイスによっても提供することができる。非限定的な例は、携帯電話又は「スマートフォン」として公知のもの、無線インタフェースカード又は他の無線インタフェース機能が備わっているコンピュータ、無線通信機能が備わっている携帯情報端末（ＰＤＡ）、又はそれら又は同様のもののあらゆる組合せのような移動局（ＭＳ）を含む。移動通信デバイスは、例えば、音声、電子メール（ｅメール）、テキストメッセージ、マルチメディアのような通信情報を搬送するためのデータ通信を提供することができる。従って、ユーザには、ユーザの通信デバイスを通じて多くのサービスを提供かつ与えることができる。これらのサービスの非限定的な例は、２方向又は多方向電話、データ通信、マルチメディアサービス、又はインターネットのようなデータ通信ネットワークへの単純なアクセスを含む。ユーザには、ブロードキャスト又はマルチキャストデータも提供することができる。コンテンツの非限定的な例は、ダウンロード、テレビジョン及び無線番組、ビデオ、広告、様々な警報、及び他の情報を含む。
【００７４】
移動デバイス２００は、受信するための適切な装置を通じて無線インタフェース２０７上で信号を受信し、かつ無線信号を送信するための適切な装置を通じて信号を送信することができる。図２では、送受信機装置は、ブロック２０６で概略的に示されている。送受信機装置２０６は、例えば、無線部品及び関連のアンテナ配置によって提供することができる。アンテナ配置は、移動デバイスに内部的又は外部的に配置することができる。
【００７５】
無線通信デバイスは、多入力多出力（ＭＩＭＯ）アンテナシステムと共に提供することができる。ＭＩＭＯ配置自体は、公知である。ＭＩＭＯシステムは、改良デジタル信号処理と共に送信機及び受信機において複数のアンテナを使用してリンク品質及び容量を改良する。図１及び図２に示されていないが、例えば、基地局及び移動局では、複数のアンテナを設けることができ、図２の送受信機装置２０６は、複数のアンテナポートを設けることができる。より多くのアンテナ要素が存在する場合に、より多くのデータを受信及び／又は送信することができる。局は、複数のアンテナを含むことができる。信号送信及びミューティングパターンは、ＭＩＭＯ配置のＴＸアンテナ数又はポート数に関連付けることができる。
【００７６】
移動デバイス２００には、典型的に、少なくとも１つのデータ処理エンティティ２０１、少なくとも１つのメモリ２０２、並びにアクセスシステム及び他の通信デバイスへのアクセス及びそれらとの通信の制御を含むタスクを実行するように設計されたソフトウエア及びハードウエア支援実行に使用するための他の可能な構成要素２３が備わっている。データ処理、ストレージ、及び他の関連の制御装置は、適切な回路基板及び／又はチップセット上に設けることができる。この特徴は、符号２０４で示されている。ユーザは、キーパッド２０５、音声命令、タッチセンサ式スクリーン又はタッチセンサ式パッド、またその組合せなどのような好ましいユーザインタフェースを用いて移動デバイスの作動を制御することができる。ディスプレイ２０８、スピーカ、及びマイクロフォンも設けることができる。更に、移動通信デバイスは、他のデバイスとの適切なコネクタ（有線又は無線のいずれか）、及び／又は外部の付属品、例えば、ハンズフリー機器をデバイスに接続するための適切なコネクタを含むことができる。
【００７７】
図３は、例えば、基地局のようなアクセスシステムの局に結合する及び／又はそれを制御するための通信システムのための制御装置の例を示している。一部の実施形態において、基地局は、個別の制御装置を含むことができる。他の実施形態において、制御装置は、無線ネットワークコントローラのような別のネットワーク要素とすることができる。一部の実施形態において、各基地局は、このような制御装置、並びに無線ネットワークコントローラで提供される制御装置を有することができる。制御装置１０９は、システムのサービスエリア内の通信に対する制御を提供するように構成することができる。制御装置１０９は、少なくとも１つのメモリ３０１、少なくとも１つのデータ処理ユニット３０２、３０３、及び入力／出力インタフェース３０４を含む。制御装置は、インタフェースを通じて基地局の受信機及び送信機に結合することができる。制御装置１０９は、制御機能を提供するための適切なソフトウエアコードを実行するように構成することができる。
【００７８】
通信デバイス１０２、１０３、１０５は、符号分割多元接続（ＣＤＭＡ）又は広帯域ＣＤＭＡ（ＷＣＤＭＡ（登録商標））のような様々なアクセス技術に基づいて通信システムにアクセスすることができる。他の例は、時分割多元接続（ＴＤＭＡ）、周波数分割多元接続（ＦＤＭＡ）、並びにその様々な配置、例えば、インタリーブド周波数分割多元接続（ＩＦＤＭＡ）、単一搬送波周波数分割多元接続（ＳＣ−ＦＤＭＡ）、及び直交周波数分割多元接続（ＯＦＤＭＡ）、及び空間分割多元接続（ＳＤＭＡ）等々を含む。
【００７９】
無線通信システムの例は、第３世代パートナーシッププロジェクト（３ＧＰＰ）によって標準化されたアーキテクチャである。最新の３ＧＰＰベース開発は、ユニバーサル移動電気通信システム（ＵＭＴＳ）無線アクセス技術のロングタームエボリューション（ＬＴＥ）と呼ばれることが多い。３ＧＰＰ  ＬＴＥ規格の様々な開発段階は、リリースと呼ばれている。ＬＴＥのごく最近の開発は、ＬＴＥアドバンスト（ＬＴＥ−Ａ）と呼ばれることが多い。ＬＴＥは、発展型ユニバーサル地上波無線アクセスネットワーク（Ｅ−ＵＴＲＡＮ）として公知の移動アーキテクチャを用いる。このようなシステムの基地局は、発展型又は強化型ノードＢ（ｅＮＢ）として公知であり、ユーザプレーン無線リンク制御／媒体アクセス制御／物理レイヤプロトコル（ＲＬＣ／ＭＡＣ／ＰＨＹ）、及び通信デバイス向けの制御プレーン無線リソース制御（ＲＲＣ）プロトコル終端のようなＥ−ＵＴＲＡＮ機能を提供することができる。無線アクセスシステムの別の例は、無線ローカルエリアネットワーク（ＷＬＡＮ）及び／又はＷｉＭａｘ（ワールドワイド・インターオペラビリティ・フォー・マイクロウェーブ・アクセス）のような技術に基づくシステムの基地局によって提供されるものを含む。
【００８０】
３ＧＰＰリリース１２の一部として、ＮＣＴ（新搬送波タイプ）に対する作業項目が提案かつ合意されている。搬送波は、以下の目標、すなわち、ネットワークの省エネルギ、オーバヘッド低減、及びより大きいセルに少なくとも部分的に重なり合う１つ又はそれよりも多くのより小さいセルを含む配置への改良されたサポートのうちの１つ又はそれよりも多くを達成するような方法で使用することができる。１つ又はそれよりも多くのより小さいセルが、より大きいセル（例えば、マクロセル）に重なり合う場合の一部の配置は、ＨｅｔＮｅｔ配置と呼ばれることがある。
【００８１】
ネットワークの省エネルギを可能にするために、基地局は、送信するデータが存在しない場合の完全なブランクサブフレームを可能にするように制御することができる。これは、送信機が少なくとも部分的にシャットダウンすることができることを意味する。
【００８２】
オーバヘッド低減は、ＤＭ  ＲＳ（復調基準信号）を使用することができる状況においてＣＲＳ（共通基準信号）オーバヘッドを低減することによって達成することができる。オーバヘッド低減は、例えば、４つ又はそれよりも多くのアンテナを用いたビーム形成ＭＩＭＯ（多入力多出力）作動において特に有利とすることができる。上述のＨｅｔＮｅｔシナリオのような状況では、共通信号からの干渉を少なくすることができる。
【００８３】
一部の実施形態は、２重休止／活動状態をサポートする基地局を提供することができる。これは、例えば、比較的長いＤＴＸサイクルを有するＤＴＸ（不連続送信）のような基地局挙動を意味することができる。ＵＥは、基地局の状態を考慮する手順を実行する。一部の実施形態において、活動状態において、少なくなったＣＲＳが存在することができる。
【００８４】
一部の実施形態は、休止作動を利用して基地局の省エネルギを可能にすることができる。隣接セル発見及びＲＲＭ（無線リソース管理）測定を可能にするための信号を提供することができる。
【００８５】
一部の実施形態において、エネルギ効率は、可能な限り少ないＤＬサブフレームでの送信をスケジューリングすることによって達成することができる。本方法では、残りのサブフレームは、空白（「ブランク」）の状態にすることができ、ｅＮｏｄｅＢの送信機は、これらのサブフレームにおいてシャットダウンしてエネルギを節約することができる。
【００８６】
一部の実施形態は、例えば、小さいセルの関連でのｅＮｏｄｅＢ搬送波休止機能の使用に関連する。例示的に、小さいセルは、ピコセル又はＨｅｔＮｅｔセルなどとすることができる。
【００８７】
しかし、セル／搬送波が全くトラヒックを搬送していないにもかかわらず、ＰＤＣＣＨ（物理ダウンリンク制御チャネル）、ＰＨＩＣＨ（物理ハイブリッドＡＲＱ（自動再送要求）インジケータチャネル）、ＰＣＦＩＣＨ（物理制御フォーマットインジケータチャネル）、ＰＳＳ／ＳＳＳ（１次同期信号／２次同期信号）、ＰＣＨ（ページングチャネル）、ＰＢＣＨ（物理ブロードキャストチャネル）、ＳＩＢ（システム情報ブロック）、ＣＲＳ（共通（セル固有）基準信号）、及びＣＳＩ−ＲＳ（チャネル状態情報基準信号）の１つ又はそれよりも多くのような共通信号及びチャネルは、例えば、移動性をサポートするために必要である場合がある。
【００８８】
一部の実施形態において、省エネルギを達成するために、共通（セル固有）信号をそれが必要とされない時に送信する必要性を回避することが望ましい。サブフレーム毎にＣＲＳ、ＰＤＣＣＨ、ＰＨＩＣＨ、ＰＣＦＩＣＨのような共通チャネル及び信号を送信する代わりに、負荷サイクルが提供される。単に一例として、負荷サイクルは、５ｍｓとすることができる。しかし、他の実施形態において、異なる負荷サイクルを使用することができる。異なる負荷サイクルは、５ｍｓよりも長いか又は短いとすることができる。負荷サイクルが５ｍｓである場合に、この負荷サイクルは、共通信号を５番目のサブフレーム毎だけに存在させることをもたらす。低いネットワーク負荷中には、負荷サイクルは、ｅＮｏｄｅＢが、例えば、送信機機能の少なくとも一部（例えば、電力増幅器）を弱めて、エネルギを節約し、かつ干渉を少なくすることを可能にする。
【００８９】
これに代えて、ｅＮｏｄｅＢ休止／ＤＴＸ（不連続送信）タイプ作動を提供することができる。この代替例では、ネットワークは、例えば、５ｍｓよりも非常に長い期間にわたって全ての共通信号及びチャネルの送信を一時停止する。
【００９０】
一部の実施形態において、ｅＮｏｄｅＢ又は基地局の休止作動は、存在する全ての共通信号を有する搬送波又は少なくなった共通信号を有する搬送波に適用することができることを認めなければならない。存在する全ての共通信号を有する搬送波は、いわゆる従来搬送波とすることができる。少なくなった共通信号を有する搬送波は、いわゆる新搬送波タイプとすることができる。
【００９１】
休止状態及び活動状態を有する基地局の作動を概略的に示している図４を参照する。特に、図４の配置では、基地局は、第１の休止状態４００を有しており、その後に活動状態４０２が続き、その後に別の休止状態４０４が続く。第１の休止状態４００中に、第１のＤＴＸオフ期間４０６が存在し、その後にＤＴＸオン期間４０８が続き、その後に第２のＤＴＸオフ期間４１０が続く。基地局がＤＴＸオフ期間にある場合に、基地局は、一般的に何も送信しない。基地局がＤＴＸオン状態にある場合に、例えば隣接セル発見を可能にするために、かつ例えばセル選択に必要なＲＲＭ測定を可能にするために送信される一部の信号が存在することになる。
【００９２】
活動状態４０２中には、状態４１２は、共通信号がこの活動状態中に送信されるような状態である。言い換えると、基地局は、通常通りにユーザ機器に信号を送信するように作動する。第２の休止状態４０４では、ここでもまた、第１のＤＴＸオフ期間４１４が存在し、その後にＤＴＸオン状態４１６が続き、その後にＤＴＸオフ状態４１８が続く。一部の実施形態において、ＤＴＸオン状態は、比較的多数のサブフレームにわたって続き、例えば、１０よりも多いサブフレームにわたって続くことができる。
【００９３】
一部の実施形態において、ＵＥ及び／又はネットワークの観点から隣接セルのＤＴＸオン期間を位置合わせすることが有利である場合がある。ＵＥに関して、２つ又はそれよりも多くのセルのＤＴＸオン期間を位置合わせして同期することにより、比較的短い期間に２つ又はそれよりも多くのセルを見出すことが可能になる。それによってＵＥのエネルギ消費量を最小にすることができる。これに代えて又はこれに加えて、これは、ＵＥが、隣接セル測定を実行している間にデータを送信／受信できないので、データ収量に影響を与える場合がある。一般的に、いわゆる「測定ギャップ」が構成される。
【００９４】
ネットワークの観点からは、ＵＥに可能な限り多くの隣接セルを同時に測定させることにより、測定ギャップによるデータ送信の中断を最小にすることができる。言い換えると、測定ギャップの数及び／又は期間を低減することができる。
【００９５】
一部の実施形態は、発見又は基準信号に関する信号送信及び／又は構成オプション、及び／又は基地局休止状態のＤＴＸオン期間中の異なるセル又は送信ポイントの間のこのような信号の多重化を提供することができる。
【００９６】
一部の実施形態において、高速及び／又は効率的セル検索を可能にするために同期及び／又は基準信号の送信が実行される。
【００９７】
一部の実施形態において、ＤＴＸオン発見信号（ＤＯＤ）は、例えば、与えられた期間に送信される基準信号として定めることができる。ＤＯＤは、基地局が休止モードにあるが、その一部が一部の基本信号を送信する場合に送信される信号として定めることができる。これらの基本信号は、基準信号とすることができる。基準信号は、ＰＳＳ／ＳＳＳ及びＣＲＳの組合せとすることができる。与えられた期間は、１つのサブフレームとすることができる。他の実施形態において、与えられた期間は、サブフレームよりも長くすることができる。ＤＯＤ信号は、単一サブフレーム内に提供するか、又は２つ又はそれよりも多くのサブフレームを通じて送信されるバーストで提供することができる。一部の実施形態において、与えられた基地局のＤＯＤ信号は、いくつかのサブフレーム内で繰り返すことができる。一部の実施形態において、ＤＯＤ信号が送信されるサブフレームは、連続的ではない。
【００９８】
一部の実施形態において、ＤＯＤ信号の成分は、既存のＬＴＥ規格に既に存在する信号、すなわち、ＰＳＳ／ＳＳＳ及びＣＲＳに基づくことができる。ＤＯＤ信号に直交性を与えるために、サブフレーム（すなわち、リソース要素）内のＰＳＳ／ＳＳＳ及びＣＲＳの時間及び周波数位置は、セル間で確定的に変化させることができる。
【００９９】
ＤＯＤ構成（すなわち、ＰＳＳ／ＳＳＳ及びＣＲＳ位置の組合せ）は、例えば、物理セルＩＤ及びモジュロ演算に基づいて導出することができる。後で実施例を説明する。
【０１００】
現在、５０４個の物理セルｉｄ（ＰＣＩ）が定められている。当然ながら、これは、異なる規格及びこの規格の異なるバージョンでは異なる場合がある。以下に説明するように、一部の実施形態において、ＤＯＤ信号を例えば０．．．１９と指標付けするための２０個の一意的な（直交）位置が存在する。ＤＯＤ信号に関する位置指標は、ＤＯＤ指標＝ＰＣＩモジュロ２０で与えられる。
【０１０１】
指標は、ｘ個の異なるオプションのうちの１つに対して発生させることができることを認めなければならず、ここで、ｘは、負荷サイクル内の一意的位置の数である。ｘは、整数であることになる。従って、指標は、ＤＯＤ指標＝ＰＣＩモジュロｘであるように発生させることができる。
【０１０２】
これに代えて又はこれに加えて、位置は、信号送信することができる。これは、対応する測定対象が構成された場合に（Ｒｅｌ−８では、異なるセルＩＤ群によって異なる測定パターンを構成することができるのと同様な方法で）、例えば、専用ＲＲＣ（無線リソース制御）信号送信を使用して信号送信することができる。ネットワークが、与えられた周波数搬送波に対する測定を実行するようにＵＥを構成する時に、ネットワークは、例えば、基準信号構成に関連付けられた情報も提供することができる。この基準信号情報は、ＵＥが、非活動モードにある基地局又はセルからの基準信号をどのサブフレーム及び／又はどの周波数で探し求めるべきかを示す。
【０１０３】
一部の実施形態において、異なるセルに関するＤＯＤ信号は、異なる予め決められたサブフレーム内で送信することができる。
【０１０４】
与えられたセルに関するＤＯＤ信号は、例えば、２から１０個のサブフレームのバーストで送信することができる。一部の実施形態において、サブフレームの数は、１とするか又は一部の事例では１０よりも多いとすることができることを認めなければならない。サブフレームは、連続的又は非連続的サブフレームとするか、又は連続サブフレームと非連続的サブフレームの組合せとすることができる。ＤＯＤ信号は、全体がＮ番目のサブフレーム毎にｙ回繰り返されるＣＲＳ／ＰＳＳ／ＳＳＳのバーストであると見なすことができる。他の実施形態において、ＤＯＤ信号は、これに代えて、与えられたセルが１つのサブフレーム内で送信される１つ又は複数の基準信号であると見なすことができる。
【０１０５】
一部の実施形態において、バースト内のＤＯＤ信号の負荷サイクルは、５ｍｓとすることができ、これは、負荷サイクルが、いわゆる新搬送波タイプの負荷サイクルと位置合わせすることを意味する。しかし、他の実施形態において、負荷サイクルは、５ｍｓよりも長いか又はそれよりも短いとすることができる。ＤＯＤ信号は、５ｍｓ毎に繰り返すことができる。これに代えて又はこれに加えて、バーストは、サブフレーム数に関して定めることができる。
【０１０６】
一部の実施形態において、ｅＮＢ間の情報交換が存在する。この情報交換は、互いの範囲のｅＮＢがそれらのｅＮＢのそれぞれの構成を調整することを保証するために使用される。この情報交換は、有線又は無線インタフェースを通じたものとすることができる。このインタフェースの一例は、Ｘ２インタフェースである。これに代えて又はこれに加えて、この情報は、ｅＮＢがエアインタフェースを通じて通信するように構成された無線での情報交換を通じて提供することができる。この情報交換は、新しいｅＮＢが、現在の隣接ｅＮＢの構成情報をリッスンし、かつこの構成情報に適応してこれらのｅＮＢのそれぞれの構成情報に対するいずれの影響も最小にする場合のネットワークリッスンモード（ＮＬＭ）の例に基づくことができる。
【０１０７】
これに代えて又はこれに加えて、コントローラは、ｅＮＢのそれぞれの構成が調整されることを保証するように基地局を制御することができる。信号送信は、コントローラによって１つ又はそれよりも多くの基地局に提供することができる。コントローラは、無線ネットワークコントローラなどのようなエンティティとすることができる。
【０１０８】
このようにして、各基地局は、基地局のＤＯＤを何時送信することが推定されるか、及びそれが別の基地局と異なる時間であることになることを知ることになる。一部の実施形態において、１つより多い異なる基地局は、同じＰＲＢを使用するが、例えば、異なるシンボル及び／又は副搬送波を使用して同じサブフレーム内で基地局のＤＯＤを送信することになる。
【０１０９】
ＬＴＥにおける与えられた基地局に関するＰＳＳ／ＳＳＳは、サブフレーム＃０及び＃５において無線フレーム毎に２度送信することができる。これは、いわゆる新搬送波タイプと共に用いることができる。一部の実施形態は、このパターンに従うことができる。しかし、他の実施形態は、異なるパターンを使用することができる。
【０１１０】
ＤＯＤ信号に関する一実施形態を考えて、一例として、ＦＤＤ（周波数分割複信）及び標準ＣＰ（循環プレフィックス）を考慮すると、一部の実施形態において、同じサブフレーム内の以下の直交時間位置を利用可能にすることができる。
−ＯＦＤＭＡシンボル対｛１，２｝、｛２，３｝、｛５，６｝、｛８，９｝、｛９，１０｝、｛１２，１３｝
シンボル対を使用して、ＰＳＳ／ＳＳＳ信号が送信される。他の実施形態において、１つ又はそれよりも多くの異なるシンボル対を利用可能にすることができることを認めなければならない。これに代えて、ＰＳＳ／ＳＳＳは、隣接しないシンボルによって送信することができることを認めなければならない。
【０１１１】
対の一部は、相互に排他的であるが、４つの一意的な対は、容易に見つけることができる（例えば、｛１，２｝、｛５，６｝、｛８，９｝、｛１２，１３｝）。５つのサブフレームの負荷サイクルを用いると、全体で４×５＝２０個のＰＳＳ／ＳＳＳ完全直交シーケンスを単一無線フレームに多重化することができる。言い換えると、２０個までの異なる基地局をサポートすることができる。更に言い換えると、５つのサブフレームの各フレームは、休止ＤＴＸオンモードにある４つの異なる基地局をサポートすることができる。この後に、パターンを繰り返すことができる。更に、多重化通信容量は、ＰＳＳ／ＳＳＳ送信に関して異なる周波数リソース（すなわち、ＰＲＢ（物理リソースブロック））を使用することによって得ることができる。言い換えると、別の物理リソースブロックがＰＳＳ／ＳＳＳ送信に使用される場合に、各ＰＲＢの各サブフレームは、４つの異なる基地局をサポートすることができると考えられる。
【０１１２】
ＤＯＤ信号のＣＲＳ成分は、周波数及び／又は時間追跡目的とすることができる。この成分は、５ｍｓの負荷サイクルで送信される単一ＣＲＳポートとすることができる。直交性は、以下の方法のうちの１つ又はそれよりも多くの方法で得ることができる。
・異なるＣＲＳ周波数シフトを使用することができる：例えば、ＬＴＥ  Ｒｅｌ−８は、ＣＲＳに関して６つの異なる副搬送波位置をサポートする。
・異なるＣＲＳポートを利用することができる：ＣＲＳポート０又は１に対応するＲｅｓ（リソース要素）を使用することができる。しかし、６つの周波数シフトの全てが使用中である場合に、これは、更に別の直交性を提供しない場合がある。
・時間的にＣＲＳ位置をシフトすること：ＰＳＳ／ＳＳＳと同様に、ＣＲＳに関して５つのサブフレームの負荷サイクルを仮定し、異なるセルのＤＯＤに対応するＣＲＳの送信をインタリーブする。ＣＲＳ周波数シフトと組み合わせて、これは、ＤＯＤ信号に関して全体で６×５＝３０個の一意的な時間周波数リソースを提供する。各サブフレームは、６つの異なる基地局をサポートすることができる。５つのサブフレームの負荷サイクルは、３０個の基地局をサポートすることができることを意味するものである。ＰＳＳ／ＳＳＳ要件は、４つのみの基地局を１つのサブフレーム内でサポートすることができることを意味するので、当然ながら、一部の実施形態において、４つのみの基地局が１つのサブフレーム内でサポートされる必要がある。
【０１１３】
一部の実施形態において、与えられた基地局に関するＰＳＳ／ＳＳＳ及びＣＲＳは、同じサブフレーム内に提供されることになることを認めなければならない。
【０１１４】
ここで、一実施形態による多重化原理を示す図５を参照する。図５は、ＵＥによって受信することができる信号を示している。ここでは、１つのみのＰＲＢ対が示されている。例えば、３ＧＰＰでは、ＰＲＢ対は、１ｍｓの期間を有しており、１２個の副搬送波を有する。ＰＲＢは、２つの０．５ｍｓスロットから構成され、ＰＲＢは、技術的に１２副搬送波*０．５ｍｓである。物理リソースブロック対は、１４個のシンボルから構成される。各シンボルは、１２個のリソース要素で構成され、シンボルの各リソース要素は、異なる副搬送波に関連付けられる。上述のように、ＰＳＳ／ＳＳＳ及びＣＲＳのＤＯＤ信号に関して４つの完全直交時間周波数リソースを提供することができる。更に、例えば、５ｍｓサブフレームレベルの負荷サイクルをその上に追加すると、通信容量は更に増加する。図５の配置では、４つのシンボル対は、それぞれＳＳ１、ＳＳ２、ＳＳ３、及びＳＳ４で参照されるそれぞれのＰＳＳ／ＳＳＳ信号を提供する。各シンボル対は、１２個の副搬送波の各々で定められる。各シンボル対は、それぞれ異なる基地局のためのＰＳＳ／ＳＳＳ信号を提供する。ＣＲＳ信号は、シンボル０、４、７、及び９内に提供される。これらのシンボルの各々は、６つまでの異なる基地局のためのＣＲＳ信号の一部を提供する。シンボルの副搬送波のうちの異なる１つは、異なる基地局からのＣＲＳ信号に使用することができる。例えば、シンボル０及び７における副搬送波０及び６、並びにシンボル４及び１１における副搬送波３及び９は、第１基地局のためのＣＲＳ信号を提供する。シンボル０及び７における副搬送波１及び７、並びにシンボル４及び１１における副搬送波４及び１０は、第２の基地局のためのＣＲＳ信号を提供する等々である。
【０１１５】
一部の実施形態において、上述のようなＰＳＳ／ＳＳＳ及びＣＲＳを組み合わせることにより、一部の実施形態は、以下の利点のうちの１つ又はそれよりも多くを有することができる：・複数の完全直交発見信号を構成することができる（一部の実施形態において、ＰＳＳ／ＳＳＳオフセットを含むことなく２０個まで）。
・既存の実施の使用。
・ＮＣＴ設計のＲｅｌ−１１タイプとの少なくとも部分的な互換性。及び
・ｅＮＢ間調整を有することにより、影響するＰＲＢ対での送信の調整ミューティングを達成し、セル間干渉がより少ない状況をもたらして隣接ｅＮＢに対する経路損失をより正確に推定することを可能にすることができる。
【０１１６】
ＰＳＳ／ＳＳＳシーケンスは、物理セルｉｄ（５０４代替物のうちの１つ）を定める。更に、モジュロ演算は、物理セルＩＤをＤＯＤ信号位置に結び付ける。このようにして、ＵＥは、どの基準信号がどの基地局又はセルに関連付けられたかを認識する。ＣＲＳ位置は、ＰＳＳ／ＳＳＳシーケンスの関連する位置に結び付けることができることを認めなければならない。
【０１１７】
実施形態の方法を示す図６を参照する。段階Ｓ１において、セルが、低活動又は休止モードになる。これは、セル自体、及び／又は無線ネットワークコントローラのようなコントローラによって制御することができる。
【０１１８】
段階Ｓ２において、セルは、基準信号に関するタイミングを決定する。特に、セルは、基準信号を何時送るか、及び基準信号をどのリソースに対して送るかを決定する。一実施形態において、基準信号に関するタイミングは、セルＩＤに基づいている。
【０１１９】
段階Ｓ３において、セルは、基準信号を送信する。セルは、基準信号のタイミングを例えばセルＩＤに基づいて制御する。
【０１２０】
段階Ｓ４において、ユーザ機器は、基準信号を受信してこの信号を処理する。実際には、ユーザ機器は、１つより多い基地局から基準信号を受信することができる。基準信号は、直交とすることができる。一部の実施形態において、これは、基準信号が異なる時間に受信されることを意味することができる。一部の実施形態において、２つの異なる基地局からの基準信号は、同じサブフレーム内で受信することができる。代替実施形態において、異なるセルからの基準信号は、異なるサブフレーム内で受信することができる。当然ながら、一部の実施形態において、ユーザ機器は、３つ又はそれよりも多くの基地局から基準信号を受信することができる。異なる基地局からの一部の基準信号が、異なるサブフレーム内であることが可能であり、及び／又は異なる基地局からの異なる基準信号は、同じサブフレーム内で受信することができる。
【０１２１】
段階Ｓ５において、ユーザ機器は、基準信号の位置に基づいてどのセルから信号が送信されたかを決定することができる。この基準信号は、発見目的でユーザ機器によって使用される。
【０１２２】
セルの装置を概略的に示す図７を参照する。装置は、活動モードコントローラ７００を含む。活動モードコントローラは、セルが活動モードであるか又は休止モードであるかを制御することになる。この制御は、セル自体によって決定された情報、及び／又は例えば無線ネットワークコントローラから受信した情報に応答する場合がある。活動モードコントローラ７００は、基準信号タイミングコントローラ７０２に情報を提供するように構成される。この基準信号タイミングコントローラ７０２は、休止モードにおいて、セルＩＤを使用して基準信号のタイミング、すなわち、基準信号を何時送信することになるか、及び基準信号をどのリソースに対して送信することになるかを制御するように配置される。セルＩＤは、メモリ７０４に格納することができる。
【０１２３】
基準信号タイミングコントローラ７０２は、基準信号ブロック７０６にタイミング情報を提供するように構成される。基準信号ブロック７０６は、タイミング情報を含む基準信号を必要なタイミングを含む基準信号を送信する送信機７０８に供給する。
【０１２４】
ここで、ユーザ機器の装置を概略的に示す図８を参照する。装置は、１つ又はそれよりも多くのセルから基準信号を受信するように構成された受信機８００を含む。プロセッサ８０２は、基準信号を処理するように構成され、どのセルからそれぞれの基準信号を受信するかを決定することができる。これは、セルＩＤから決定することができる。この情報は、セル選択及びハンドオーバー決定を行う際の情報を使用することができるセル選択ブロック８０４に提供することができる。
【０１２５】
図７又は８に示されている１つ又はそれよりも多くのブロックは、少なくとも１つのプロセッサ及び／又は少なくとも１つのメモリによって提供することができることを認めなければならない。同じか又は異なるプロセッサ及び／又はメモリは、異なる機能を提供することができる。代替実施形態において、図７又は８に示されている１つ又はそれよりも多くのブロックは、適切な回路及び／又はハードウエア装置によって提供することができることを認めなければならない。
【０１２６】
ＤＴＸモードは、非活動又は低活動モードの一例である。他のいずれかの適切な非活動又は低活動モードを用いた代替実施形態を利用することができる。休止状態は、基地局の１つ又はそれよりも多くの構成要素をオフにすることができ、待機状態に置かれ、又は使用されない状態とすることができる。一実施形態において、休止状態は、１つ又はそれよりも多くの基準信号以外の信号が送信されない場合の一状態とすることができる。休止状態は、活動状態よりも低い電力を消費するとすることができる。
【０１２７】
基地局が、１つより多い搬送波オプションをサポートする場合に、１つ又はそれよりも多くの搬送波オプションが休止状態になることができることを認めなければならない。この代替例では、１つ又はそれよりも多くの搬送波オプションは、活動状態にあることができ、一方、１つ又はそれよりも多くの搬送波オプションは、休止状態にあることができる。
【０１２８】
一部の実施形態において、活動状態は、基地局の通常の作動モードと見なすことができる。
【０１２９】
一部の実施形態においてセルに言及した。一部の実施形態において、本教示は、これに代えてネットワークノードによって適用することができる。ネットワークノードは、基地局などである場合がある。
【０１３０】
一部の実施形態において、ユーザ機器は、セルが何時低活動モード又は休止モードにあるかを示すモード情報を受信することができる。この情報は、直接又は間接的に提供することができる。例えば、第１セルの状態が何時低活動モードに変化するかに関するモード情報を提供することができる。しかし、一部の実施形態において、ユーザ機器が、セルでの使用状態が活動モードにあることを示す情報を受信しない限り、ユーザ機器は、セルが低活動モードにあると推定する。当然ながら、一部の実施形態において、ユーザ機器は、活動モードが何時開始し、何時終了するかについて示す情報を受信することができる。
【０１３１】
特定の構成に言及した。一部の実施形態は、他の構成に適用することができる。
【０１３２】
様々なチャネルに言及した。他の実施形態は、他のチャネルを用いて使用することができることを認めなければならない。
【０１３３】
いわゆる新搬送波タイプに言及した。これは、将来、別の名称で呼ばれることがあることを認めなければならない。これに代えて又はこれに加えて、他のいずれかの搬送波を用いた他の実施形態を使用することができることを認めなければならない。
【０１３４】
ＬＴＥに関連して実施形態を説明したが、同様の原理は、他のいずれかの通信システム又はＬＴＥを含む別の開発に適用することができることに注意されたい。従って、特定の実施形態を無線ネットワーク、技術、及び規格に関する特定の例示的なアーキテクチャに関して一例として上述したが、実施形態は、本明細書に示して説明したもの以外の通信システムの他のいずれかの適切な形態に適用することができる。
【０１３５】
上述の実施形態において、基準信号ＰＳＳ、ＳＳＳ、及びＣＳＲに言及した。これらの信号のうちの１つ又はそれよりも多くは、除外することができる。これに代えて又はこれに加えて、別の適切な基準信号を使用することができることを認めなければならない。
【０１３６】
一部の実施形態において、１つのみの基準信号を必要とする場合がある。他の実施形態において、１つより多い基準信号を必要とする場合がある。
【０１３７】
上記では、基地局の基準信号に言及した。一部の実施形態において、セルが、基準信号を提供することができる。一部の実施形態において、基地局が、１つ又はそれよりも多くのセルを提供することができる。一部の実施形態において、ＰＳＳ／ＳＳＳのリソース要素は、上述の物理セルＩＤによって決定することができる。
【０１３８】
一部の実施形態において、ａ）セル（セルＩＤ）とｂ）３つの基準信号（ＰＳＳ／ＳＳＳ／ＣＲＳ）がその上で送信されるリソース要素との間の関連性を提供する。
【０１３９】
一部の実施形態において、ＰＲＢ内のリソース要素に加えて、基準信号が送信されるサブフレームは、セルに関連付けられる（すなわち、セルＩＤに依存する）。一部の実施形態において、第１セルからの基準信号は、第１のサブフレームと、第２のサブフレーム内の第２セルからの基準信号とに関連付けることができる。５つのサブフレームの負荷サイクルを仮定すると、与えられたセル（セルＩＤ）を関連付けることができる５つの異なる可能なサブフレームが存在することができる。
【０１４０】
一部の実施形態において、ｅＮＢの休止状態中に高速かつ効率的なセル検索を達成するために、バースト（与えられた負荷サイクルによる予め定められた繰返し数）からなるＰＳＳ／ＳＳＳ及びＣＲＳが隣接セル発見に使用される。ＤＴＸオンモードにある場合（ｅＮＢが、スリープモードにあるが、ＰＳＳ／ＳＳＳ／ＣＲＳのみ送信している場合）には、ＤＬ  ＬＴＥに関するダウンリンクＤＬ期間の休止タイプが定められる。この期間には、休止状態中のＵＥの例えば同期及びネットワークセル選択機能をサポートするＣＲＳ及びＰＳＳ／ＳＳＳのみがダウンリンクで送信される。
【０１４１】
一部の実施形態において、異なるセルが、それらのＰＳＳ／ＳＳＳ信号をサブフレーム内の異なるＯＦＤＭシンボルで送信することにより、別々のセル間での発見の直交性が保証される。更に、セルＩＤとバースト内のＰＳＳ／ＳＳＳのタイミング（サブフレーム内、並びに異なるサブフレーム間の両方）及び／又はＣＲＳの周波数シフトとの間の追加の依存関係を導入することにより、更に別の直交性を提供する。
【０１４２】
基地局装置、通信デバイス、及び他のいずれかの適切な装置の必要なデータ処理装置及び機能は、１つ又はそれよりも多くのデータプロセッサによって提供することができる。説明した各端末における機能は、別々のプロセッサ又は統合プロセッサによって提供することができる。データプロセッサは、ローカル技術環境に適切なタイプであればどのようなタイプのものであってもよく、非限定的な例として、汎用コンピュータ、特殊目的コンピュータ、マイクロプロセッサ、デジタルシグナルプロセッサ（ＤＳＰ）、特定用途集積回路（ＡＳＩＣ）、ゲートレベル回路、及びマルチコアプロセッサアーキテクチャに基づくプロセッサのうちの１つ又は複数を含むことができる。データ処理は、いくつかのデータ処理モジュールにわたって分散させることができる。データプロセッサは、例えば、少なくとも１つのチップによって提供することができる。更に、適切なメモリ容量を関連のデバイスに提供することができる。メモリは、ローカル技術環境に適するものであればどのようなタイプのものであってもよく、適切なデータストレージ技術、例えば、半導体ベースメモリデバイス、磁気メモリデバイス及びシステム、光メモリデバイス及びシステム、固定メモリ及び取外し可能メモリのうちのいずれかを使用して実施することができる。
【０１４３】
一般的に、様々な実施形態は、ハードウエア又は特殊目的回路、ソフトウエア、論理回路、又はそれらのあらゆる組合せに実施することができる。本発明の一部の態様は、ハードウエアに実施することができ、他の態様は、コントローラ、マイクロプロセッサ、又は他のコンピュータデバイスによって実行することができるファームウエア又はソフトウエアに実施することができるが、本発明は、それらに限定されない。本発明の様々な態様は、ブロック図、流れ図、又は他のいずれかの図形表示を使用して示して説明したが、本明細書に説明されるこれらのブロック、装置、システム、技術、又は方法は、非限定的な例としてハードウエア、ソフトウエア、ファームウエア、特殊目的回路又は論理回路、汎用目的ハードウエア又はコントローラ又は他のコンピュータデバイス、又はそれらのいくつかの組合せに実施することができることは、十分に理解される。ソフトウエアは、メモリチップ又はプロセッサ内に実施されるメモリブロック、ハードディスク、又はフロッピー（登録商標）ディスクのような磁気媒体、並びに例えばＤＶＤ及びそのデータ異形であるＣＤのような光学的媒体のような物理的媒体に格納することができる。
【０１４４】
以上の説明は、例示的かつ非限定的な例により、本発明の例示的な実施形態の完全で詳細な説明を与えたものである。しかし、関連の当業者は、以上の説明を考慮して添付図面及び特許請求の範囲と併せて読むことにより、様々な変更例及び適応例が明らかであろう。しかし、本発明の教示のこのような及び同様の変更例の全ては、特許請求の範囲に定められる本発明の範囲に依然として含まれるものである。実際に、上述の他の実施形態のいずれかのうちの１つ又はそれよりも多くの組合せを含む更に別の実施形態が存在する。
【符号の説明】
【０１４５】
Ｓ１  セルが休止モードになる段階
Ｓ２  セルがセルＩＤに基づいて基準信号を何時送るかを決定する段階
Ｓ３  セルが基準信号を送信する段階
Ｓ４  ＵＥが基準信号を受信して信号を処理する段階
Ｓ５  基準信号の位置に基づいて、ＵＥがどの信号がどのセルからのものであるかを決定する段階
【図１】
0006392247.tif 000002
【図２】
0006392247.tif 000003
【図３】
0006392247.tif 000004
【図４】
0006392247.tif 000005
【図５】
0006392247.tif 000006
【図６】
0006392247.tif 000007
【図７】
0006392247.tif 000008
【図８】
0006392247.tif 000009